(57)【要約】【課題】  インターホン装置の待受モードから呼出モードへの変化等のモードの変化を玄関子機にて表示可能とする。【解決手段】  玄関子機１に、玄関子機１と居室親機２との間の幹線５の電圧を監視する電圧監視回路１７と、夜間でも来訪者が呼出ボタン１２の位置を認識可能とする表示灯１５の点灯状態を変更する表示灯制御回路２０とを備え、幹線５の電圧が待受電圧から呼出電圧に変化したことを電圧監視回路１７が検知したら、表示灯制御回路２０はその検出信号を受けて表示灯１５の点灯状態を変更させた。一方、居室親機２は、待受モードから応答待ちモードに変化したら、更には応答待ちモードから通話モードに変化したら、夫々通知信号を玄関子機１へ出力し、この信号を受けて表示灯制御回路２０は表示灯１５の点灯状態をその都度変更した。【選択図】  図２
2006165694.tif 000002
【特許請求の範囲】
【請求項１】
居住者を呼び出す呼出ボタンを有する玄関子機と前記玄関子機からの呼び出しに応答するためのハンドセット及び／又はハンズフリー通話機能を有する居室親機とを備えたインターホン装置において、
前記玄関子機は、夜間でも来訪者が前記呼出ボタン位置を認識可能とする表示灯と、前記玄関子機と前記居室親機との間に配設されている幹線に前記玄関子機を駆動するために前記居室親機から印加されている幹線電圧を監視し、前記呼出ボタンが操作されて前記幹線電圧が待受電圧よりも高い呼出電圧に変化したことを検出する電圧監視回路と、前記電圧監視回路にて検出された幹線電圧の変化に基づき前記表示灯の点灯状態を変更する表示灯制御手段とを備えたことを特徴とするインターホン装置。
【請求項２】
前記居室親機は、前記玄関子機からの呼び出しを受けて、待受モードから受話のみ可能とする応答待ちモードへ移行する制御を行い、更に応答待ちモードへ移行したことを前記玄関子機に知らせるための応答待ち通知信号を送出する親機制御手段を備え、
前記表示灯制御手段は、前記居室親機からの応答待ち通知信号を受信したら前記表示灯の点灯状態を変更することを特徴とする請求項１記載のインターホン装置。
【請求項３】
前記親機制御手段は、前記玄関子機からの呼び出しを受けて、居住者により前記ハンドセットのフックオフ又は前記ハンズフリー通話の応答操作が成されたら通話が可能な通話モードに移行させると共に、通話モードに移行したことを前記玄関子機に知らせるための通話モード通知信号を送出し、前記表示灯制御手段は、前記通話モード通知信号を受信したら前記表示灯の点灯状態を変更することを特徴とする請求項１又は２記載のインターホン装置。
【請求項４】
前記親機制御手段は、前記玄関子機からの呼び出しを受けて、居住者により前記ハンドセットのフックオフ又は前記ハンズフリー通話の応答操作が成されたら通話が可能な通話モードに移行させ、前記玄関子機に対して居住者の応答音声が送出されたら、前記表示灯制御手段は、前記応答音声の受信を受けて前記表示灯の点灯状態を変更することを特徴とする請求項１又は２記載のインターホン装置。
【請求項５】
前記親機制御手段は、ハンドセットのフックオン又はハンズフリー通話の終話操作が行われることで前記居室親機を待受モードに移行すると共に、待受モードに移行したことを前記玄関子機に知らせるための待受モード通知信号を送出し、前記表示灯制御手段は、前記待受モード通知信号を受けて前記表示灯を常時点灯させる制御を行うことを特徴とする請求項１乃至４の何れかに記載のインターホン装置。
【請求項６】
前記親機制御手段は、前記ハンドセットのフックオン又は前記ハンズフリー通話の終話操作が成されるか、前記玄関子機からの呼び出しに応答せず所定時間が経過することで、前記居室親機を待受モードに移行させると共に前記幹線電圧を呼出電圧から待受電圧に変化させ、前記電圧監視回路が幹線電圧の前記変化を検出すると、前記表示灯制御手段は、前記表示灯を常時点灯させる制御を行うことを特徴とする請求項１乃至４の何れかに記載のインターホン装置。
【請求項７】
前記玄関子機は、前記電圧監視回路からの電圧検知信号と、前記表示灯制御手段の制御信号とを組合せて外部へ出力する外部インターフェイスを有すると共に、前記外部インターフェイスに外部発光手段が接続されて成り、
前記外部発光手段は、前記組み合わせた信号により発光状態を変更することを特徴とする請求項１乃至請求項６の何れかに記載のインターホン装置。
【発明の詳細な説明】
【技術分野】
【０００１】
本発明はインターホン装置に関し、特に来訪者がインターホン装置の待受中，呼出中等のモード状態を把握できるインターホン装置に関する。
【背景技術】
【０００２】
インターホン装置は、玄関子機からの呼出操作により居室親機のスピーカから呼出音が報音されるが、従来のインターホン装置には、居室親機にて呼出音が報音されると、それに合わせて玄関子機のスピーカからも呼出確認音が報音され、呼び出しが行われていることを玄関子機にて認識できるものがある。しかし、聴覚障害者等の耳の不自由な人の場合、音による情報は得ることが難しいため、特許文献１に開示されているように、ランプを点灯させて視覚によって呼び出し動作していることを玄関子機にて認識可能としたインターホン装置がある。
【特許文献１】特開２０００−１０１７２９号公報
【発明の開示】
【発明が解決しようとする課題】
【０００３】
インターホン装置は、通常呼び出し等を待つ省電力状態の待受モード、玄関子機の呼出操作により居室親機が居住者を呼び出す呼出モード、玄関子機と居室親機の間で通話が可能な通話モード、更には玄関子機からの送話のみ可能な応答待ちモード等と、複数の動作状態がある。しかしながら、上記特許文献１のインターホン装置は、インターホン装置の動作状態のうち待受モードと呼出モードを把握できるのみであるし、その実現方法の具体的手段が記載されていない。
また、例えば来訪者が聴覚障害者の場合、居住者からの送話が成されても、それが解らないため対応できなかった。
【０００４】
そこで、本発明はこのような問題点に鑑み、インターホン装置のモード状態を玄関子機にて表示することができるインターホン装置を提供すること、また、来訪者が聴覚や視覚に障害のある人でも対応し易いインターホン装置を提供することを目的とする。尚、視覚に障害がある人とは、弱視等の視力の弱い人を主に言うものとする。
【課題を解決するための手段】
【０００５】
上記課題を解決する為に、請求項１に記載の発明は、居住者を呼び出す呼出ボタンを有する玄関子機と玄関子機からの呼び出しに応答するためのハンドセット及び／又はハンズフリー通話機能を有する居室親機とを備えたインターホン装置において、玄関子機は、夜間でも来訪者が呼出ボタン位置を認識可能とする表示灯と、玄関子機と居室親機との間に配設されている幹線に玄関子機を駆動するために居室親機から印加されている幹線電圧を監視し、呼出ボタンが操作されて幹線電圧が待受電圧よりも高い呼出電圧に変化したことを検出する電圧監視回路と、電圧監視回路にて検出された幹線電圧の変化に基づき表示灯の点灯状態を変更する表示灯制御手段とを備えたことを特徴とする。
この構成により、表示灯の点灯状態が変わるので、来訪者が聴覚障害者であっても呼び出しが成されていることを知ることができ、安心感を得ることができる。また、専用の表示灯を必要としないし、点灯状態を変えるための専用の信号が必要ないので、別途信号送信回路を設ける必要がない。
【０００６】
請求項２の発明は、請求項１に記載の発明において、居室親機は、玄関子機からの呼び出しを受けて、待受モードから受話のみ可能とする応答待ちモードへ移行する制御を行い、更に応答待ちモードへ移行したことを玄関子機に知らせるための応答待ち通知信号を送出する親機制御手段を備え、表示灯制御手段は、居室親機からの応答待ち通知信号を受信したら表示灯の点灯状態を変更することを特徴とする。
この構成により、送話が可能であることを玄関子機にて認識でき、例えば帰宅した家族は安心して送話できる。
【０００７】
請求項３の発明は、請求項１又は２に記載の発明において、親機制御手段は、玄関子機からの呼び出しを受けて、居住者がハンドセットのフックオフ又はハンズフリー通話の応答操作を行うことにより通話が可能な通話モードに移行させると共に、通話モードに移行したことを玄関子機に知らせるための通話モード通知信号を送出し、表示灯制御手段は、通話モード通知信号を受信したら表示灯の点灯状態を変更することを特徴とする。
この構成により、通話ができる状態にあることを玄関子機にて認識でき、例えば聴覚障害者が訪問した場合に、居住者に対して意志を伝え易くなる。
【０００８】
請求項４の発明は、請求項１又は２に記載の発明において、親機制御手段は、玄関子機からの呼び出しを受けて、居住者によりハンドセットのフックオフ又はハンズフリー通話の応答操作が成されたら通話が可能な通話モードに移行させ、玄関子機に対して居住者の応答音声が送出されたら、表示灯制御手段は、応答音声の受信を受けて表示灯の点灯状態を変更することを特徴とする。
この構成により、居住者が応答している状態にあることを玄関子機にて認識でき、例えば聴覚障害者が訪問した場合に、居住者に対して意志を伝え易くなる。また、音声により表示灯の点灯状態を変更するので、別途通知信号を発生させる必要がない。
【０００９】
請求項５の発明は、請求項１乃至４の何れかに記載の発明において、親機制御手段は、ハンドセットのフックオン又はハンズフリー通話の終話操作が行われることで居室親機を待受モードに移行すると共に、待受モードに移行したことを玄関子機に知らせるための待受モード通知信号を送出し、表示灯制御手段は、待受モード通知信号を受けて表示灯を常時点灯させる制御を行うことを特徴とする。
この構成により、玄関子機にて居住者の応対が終了したことを認識できる。
【００１０】
請求項６の発明は、請求項１乃至４の何れかに記載の発明において、親機制御手段は、ハンドセットのフックオン又はハンズフリー通話の終話操作が成されるか、玄関子機からの呼び出しに応答せず所定時間が経過することで、居室親機を待受モードに移行させると共に幹線電圧を呼出電圧から待受電圧に変化させ、電圧監視回路が幹線電圧の変化を検出すると、表示灯制御手段は、表示灯を常時点灯させる制御を行うことを特徴とする。
この構成により、玄関子機にて居住者の応対が終了したことを認識できる。また、駆動電圧の変化で待受モードを認識するので、居室親機が別途信号を送信する必要がないし、表示灯制御手段を簡易に構成することが可能となる。
【００１１】
請求項７の発明は、請求項１乃至６の何れかに記載の発明において、玄関子機は、電圧監視回路からの電圧検知信号と、表示灯制御手段の制御信号とを組合せて外部へ出力する外部インターフェイスを有すると共に、外部インターフェイスに外部発光手段が接続されて成り、外部発光手段は、組み合わせた信号により発光状態を変更することを特徴とする。
この構成により、例えばパトライト等の専用の外部発光表示手段を設けることで、インターホン装置のモード変化を認識し易く、来訪者が視覚に障害があったり聴覚に障害がある場合でも、モード変化を容易に知る事が可能となる。また、外部発光表示手段を例えば「呼出中」の文字が発光する表示器とすれば、来訪者は呼出中であることを文字で認識することができ、初めての来訪者でもインターホン装置の状態を認識し易い。
【発明の効果】
【００１２】
本発明によれば、インターホン装置のモード状態に応じて表示灯の点灯状態が変わるので、来訪者は呼び出しが成されていることを実感でき、安心感を得ることができる。また、呼出ボタン位置を認識するための表示灯を使用するので専用の表示灯を必要としない。
また、通話モードであること、或いは居室親機から送話が成されていることを玄関子機の表示灯の発光状態により認識可能とすることで、例えば聴覚障害者が訪問した場合に、居住者に対して意志を伝え易くなる。
【発明を実施するための最良の形態】
【００１３】
以下、本発明を具体化した実施の形態を、図面に基づいて詳細に説明する。図１は、本発明に係るインターホン装置の一例を示す構成図であり、居住者を呼び出すための玄関子機１、来訪者の呼び出しに応答するための居室親機２、そしてパトライト３及び呼出中であることを点灯表示する発光表示板４が玄関子機１に接続されて構成されている。
玄関子機１は、来訪者を撮像するためのカメラ１１、居住者を呼び出す呼出ボタン１２、居住者と通話するためのマイク１３及びスピーカ１４、呼出ボタン１２の位置を表示すると共に通電を表示する表示灯１５を備えている。また、居室親機２は、通話するためのハンドセット２１、カメラ１１の撮像映像を出画するモニタ２２、ハンズフリー通話するためのマイク２３及びスピーカ２４を備え、玄関子機１と居室親機２は幹線５で接続されている。
【００１４】
図２は図１のインターホン装置の回路ブロック図を示している。図２に示すように、玄関子機１は、マイクアンプ１６ａ、スピーカアンプ１６ｂからなる子機通話回路１６、玄関子機１を駆動するために居室親機２から幹線５に印加されている幹線電圧を監視する電圧監視回路１７、幹線５が接続される子機ＩＦ（インターフェイス）１８、パトライト３及び発光表示板４が接続される外部ＩＦ（インターフェイス）１９、表示灯制御手段としてのＣＰＵを備えた表示灯制御回路２０とから構成されている。
【００１５】
一方、居室親機２は、ハンドセット２１と、マイク２３及びスピーカ２４とで構成される通話部２５、親機通話回路２６、ハンドセット２１の操作で動作するフックスイッチ２７、モニタ２２を駆動するモニタ駆動回路２８、モニタ２２上に形成されてなるタッチパネル２９、親機制御手段としてのＣＰＵを備えた親機制御回路３０、幹線５が接続される親機ＩＦ（インターフェイス）３１とから構成されている。
尚、このインターホン装置は、各種設定やハンズフリー通話時の通話操作、終話操作、モニタ表示操作等はタッチパネル２９で行うよう構成されている。
【００１６】
このように構成されたインターホン装置は、次のように動作する。玄関子機１や居室親機２が操作されない待受時には居室親機２は待受モード状態にある。このとき、幹線５の電圧は約１０ボルト（待受電圧）となっており、この状態において表示灯１５は常時点灯し、夜間でも呼出ボタン１２位置を認識可能とすると共に玄関子機１への通電を通知している。
この状態で、来訪者により玄関子機１の呼出ボタン１２が押下されると、呼出信号が幹線５を通って居室親機２に伝送され、この信号を受けて親機制御回路３０は幹線５の電圧を約１６ボルト（呼出電圧）に上げる。この電圧上昇により玄関子機１のカメラ１１が撮像を開始し、撮像映像が居室親機２に表示される。同時に、居住者を呼び出す呼出音がスピーカ２４から報音される。
【００１７】
また、玄関子機１では、幹線電圧の上昇が電圧監視回路１７で検知され、その検知信号を受けて表示灯制御回路２０は、表示灯１５を所定のパターンで点灯／点滅させるための制御を行い、表示灯１５はそれに従い点灯／点滅動作する。
尚、呼出モード以降の各種モードでは呼出電圧のまま電圧変化はなく、通話モードから待受モードに変わる時に１０ボルトに変化する。
【００１８】
一方、居室親機２は、呼出音の報知が行われると、親機制御回路３０の制御により受話路が形成され、玄関子機１からの音声のみ居室親機２に送信可能となる応答待ちモードに移行する。この状態で、居室親機２では玄関先の音声の聴取を行うことができる。
この応答待ちモードに移行したら、親機制御回路３０により玄関子機１に対して応答待ち通知信号が送出され、玄関子機１では応答待ち通知信号を受信して表示灯制御回路２０により表示灯１５の点灯パターンを所定のパターンで点灯／点滅させるための制御を行う。表示灯１５はそれに従い点灯／点滅する。
【００１９】
その後、呼び出しを認識した居住者が居室親機２のハンドセット２１のフックオフまたはハンズフリー通話の応答操作が行われると、居室親機２の親機制御回路３０は、フックスイッチ２７の動作、又はタッチパネル２９による通話操作を受けて、居室親機２を通話モードに移行させると共に、通話モード通知信号を玄関子機１に送出する。
通話モード通知信号を受信した玄関子機１は、表示灯制御回路２０により表示灯１５の点灯パターンを所定のパターンで点灯／点滅させるための制御を行い、表示灯１５はそれに従い点灯／点滅する。
【００２０】
通話が終了してハンドセット２１のフックオンまたはハンズフリー通話の終話操作が行われると、親機制御回路３０は待受モードに移行させると共に、待受モード通知信号を玄関子機１に送出する。
玄関子機１は、この待受モード通知信号を受けて、表示灯制御回路２０により表示灯１５の点灯パターンを常時点灯させる制御を行い、表示灯１５はそれに従い点灯する。
尚、居室親機２から玄関子機１に送出される各種通知信号は、可聴領域外の特定の周波数を用いた信号で構成され、音声信号と共通の幹線５で伝送される。
【００２１】
このように、待受モードから呼出モードに変わると表示灯の点灯状態が変わるので、来訪者は呼び出しが成されていることを実感でき、安心感を得ることができる。また、呼出ボタン位置を表示する表示灯を使用するので、専用の表示灯を必要としない。
更に、応答待ちモードに入ったことを玄関子機側で知ることができるので、送話が可能であることを玄関子機にて認識でき、例えば帰宅した家族は安心して送話できるし、通話モードに入ったことを玄関子機側で知ることができるので、通話ができる状態にあることを玄関子機にて認識でき、例えば聴覚障害者が訪問した場合に、居住者に対して意志を伝え易くなる。
また、通話モードから待受モードに変わったことが玄関子機側でわかるので、来訪者は居住者の応対が終了したことを認識できる。
【００２２】
次に、玄関子機１の外部ＩＦ１９に接続されたパトライト３、発光表示板４の動作について説明する。パトライト３は、電圧監視回路１７からの検知信号と、表示灯制御回路２０の表示灯制御信号とを受けて動作し、待受モード、応答待ちモード、通話モード等のモード状態によって、点滅若しくは点滅周期が変わり、この変化により来訪者はインターホン装置の状態を知ることができる。
また、発光表示板４は、通常消灯状態にあり、待受電圧から呼出電圧への幹線電圧の変化を電圧監視回路１７が検知したことを受けて発光動作し、呼出電圧から待受電圧への幹線電圧の変化を電圧監視回路１７が検知したことを受けて消灯する。
このように、外部発光手段としてパトライトや「呼出中」の文字が発光する発光表示板を設置すれば、インターホン装置のモード変化を認識し易く、聴覚障害者は勿論のこと視覚に障害のある来訪者であっても、変化を容易に知る事が可能となる。
尚、発光表示板４は、居室親機２から送られてくる通話モード通知信号等を受けて表示灯制御回路が出力する表示灯制御信号を受けて発光を停止しても良い。
【００２３】
図３のブロック図は本発明の他の例を示し、インターホン装置全体の構成は上記図１と同一であるが、玄関子機の構成が一部異なっている。ここでは、表示灯制御回路３３が図１の表示灯制御回路２０と異なりＣＰＵを持たずオペアンプ等で構成されている。尚、共通する構成要素は同一の符号を用い、説明を省略する。
【００２４】
このインターホン装置は次のように動作する。上記実施形態と同様に、待受時の幹線５の電圧は約１０ボルトの待受電圧になっており、表示灯１５は常時点灯し、夜間でも呼出ボタン１２位置を認識可能とすると共に玄関子機１への通電を通知している。
この状態で、来訪者により玄関子機１の呼出ボタン１２が押されると、呼出信号が居室親機２に伝送され、この信号を受けて居室親機２は幹線５の電圧を約１６ボルトの呼出電圧に上げる。そして、幹線電圧が上昇したら玄関子機１のカメラ１１が撮像を開始し、その撮像映像が居室親機２のモニタ２２で表示され、居室親機２は呼出音をスピーカ２４から報音する。
【００２５】
一方、玄関子機１ではこの幹線電圧の変化が電圧監視回路１７で監視され、呼出電圧への変化を検知したら、検知信号を表示灯制御回路３３に出力する。この信号を受けて表示灯制御回路３３は、表示灯１５を所定のパターンで点灯／点滅させるための制御を行い、表示灯１５はそれに従い点灯／点滅動作する。
【００２６】
居室親機２は、呼出音の報知が行われると、親機制御回路３０の制御により玄関子機１からの音声のみ居室親機に送信可能な応答待ちモードに移行する。このとき、居室親機２では玄関先の音声の聴取を行うことができる。
その後、居室親機２の親機制御回路３０は、呼び出しを認識した居住者が居室親機２のハンドセット２１のフックオフ、又はハンズフリー通話の応答操作を行い、フックスイッチ２７がフックオフされたら、又はタッチパネル２９による通話操作が成されたら、通話モードに移行させる。
【００２７】
そして、居住者が居室親機２から玄関子機１に送話音声を送出すると、子機通話回路１６のスピーカアンプ１６ｂを介してスピーカ１４から送話音が出力され、この送話音声から成る送話信号を表示灯制御回路３３が検知し、表示灯１５の点灯パターンを所定のパターンで点灯／点滅させる制御を行う。表示灯１５はそれに従い点灯／点滅する。尚、居住者の送話音声の検知は、ノイズ音による誤動作を防ぐ為に、閾値を設けて検知することで良好に検知できる。
【００２８】
そして、ハンドセット２１のフックオン又はハンズフリー通話の終話操作が行われて通話が終了すると待受モードに移行する。また、玄関子機１からの呼び出しに応答せず所定時間が経過した場合も待受モードに移行し、幹線電圧が１０ボルトに低下する。すると、電圧監視回路１７がこの変化を検知して検知信号を出力する。この信号により表示灯制御回路３３は表示灯１５を常時点灯させる制御を行い、表示灯１５は点灯状態に戻る。
【００２９】
また、パトライト３は、電圧監視回路１７からの検知信号と、表示灯制御回路３３の表示灯制御信号とを受けて動作し、待受モード、通話モードにより点滅若しくは点滅周期を変える。この変化により来訪者はインターホン装置の状態を知ることができる。そして、発光表示板４は、待受電圧から呼出電圧へ幹線電圧が変化したのを電圧監視回路１７が検知して出力する検知信号を受けて発光動作し、呼出電圧から待受電圧へ幹線電圧が変化したのを電圧監視回路１７が検知した検知信号を受けて消灯する。
【００３０】
このように、表示灯制御回路は、玄関子機駆動電圧である幹線電圧の変化や音声信号を検知してモード変化を検知するので、居室親機からモードが変わる度に通知信号を送信する必要がなく、ＣＰＵを使用しない簡易な回路で構成できる。
そして、表示灯の点灯状態をインターホン装置のモード状態の変化に合わせて変更できるので、待受モード、呼出モード、通話モードであることを玄関子機にて把握することができ、来訪者は、呼び出しが成されていることを実感でき、安心感を得ることができる。また、通話モードに入り居住者が応答している状態にあることを玄関子機にて認識できるので、例えば聴覚障害者が訪問した場合に、居住者に対して意志を伝え易くなる。
また、通話モードから待受モードに変わったことが玄関子機側でわかるので、来訪者は居住者の応対が終了したことを認識できる。
【００３１】
尚、上記実施形態は、何れもパトライト３，発光表示板４を備えているが、無くても良く、玄関子機１の表示灯１５のみ表示を変化させるだけでも、十分効果を奏する。
また、「呼出中」を表示する発光表示板を玄関子機に設けて、呼出モードの際に発光させてもよい。
【図面の簡単な説明】
【００３２】
【図１】本発明に係るインターホン装置の実施形態の一例を示す構成図である。
【図２】図１の回路ブロック図である。
【図３】本発明の他の例を示す回路ブロック図である。
【符号の説明】
【００３３】
１・・玄関子機、２・・居室親機、３・・パトライト（外部発光手段）、４・・発光表示板（外部発光手段）、５・・幹線、１２・・呼出ボタン、１５・・表示灯、１７・・電圧監視回路、２０・・表示灯制御回路（表示灯制御手段）、２１・・ハンドセット、２５・・通話部、２７・・フックスイッチ、３０・・親機制御回路、３３・・表示灯制御回路（表示灯制御手段）。
【図１】
2006165694.tif 000003
【図２】
2006165694.tif 000004
【図３】
2006165694.tif 000005